【手続補正書】
【提出日】平成19年12月21日(2007.12.21)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】  処理対象画像の主走査ライン上に有彩色画素が所定数連続しているか判定することにより、有彩色画素群を検出する第一の判定手段と、
前記有彩色画素群が前記主走査ライン上に所定数検出されることに応じて、前記主走査ライン上の有彩色の存在を判定する第二の判定手段と、
前記有彩色画素群の副走査方向の連続性を判定することで、前記副走査方向の有彩色の存在を判定する第三の判定手段と、
前記第一の判定手段、前記第二の判定手段および前記第三の判定手段による判定結果に基づいて、前記処理対象画像がカラー画像であるか判定する第四の判定手段とを有し、
前記第一判定手段の連続性の判定のためのパラメータと、前記第三の判定手段の連続性の判定のためのパラメータは独立に設定されることを特徴とする画像処理装置。
【請求項２】  前記第一の判定手段、前記第二の判定手段および前記第三の判定手段により判定がなされる前記処理対象画像の領域は、前記処理対象画像の画先、終端領域を少なくとも除いた領域であることを特徴とする請求項１記載の画像処理装置。
【請求項３】  前記第四の判定手段によりカラー画像であると判定された場合、前記処理対象画像に対してカラー画像用の画像処理を施す画像処理手段をさらに有することを特徴とする請求項１または請求項２記載の画像処理装置。
【請求項４】  処理対象画像の主走査ライン上に有彩色画素が所定数連続しているか判定することにより、有彩色画素群を検出する第一の判定手段と、
前記有彩色画素群が前記主走査ライン上に所定数検出されることに応じて、前記主走査ライン上の有彩色の存在を判定する第二の判定手段と、
前記有彩色画素群の副走査方向の連続性を判定することで、前記副走査方向の有彩色の存在を判定する第三の判定手段と、
前記第一の判定手段、前記第二の判定手段および前記第三の判定手段による判定結果に基づいて、前記処理対象画像がカラー画像であるか判定する第四の判定手段とを有し、
前記第一判定手段と第二の判定手段からなる主走査方向用の判定部と、前記第三の判定手段からなる副走査方向用の判定部は、同一の処理を行う構成であることを特徴とする画像処理装置。
【請求項５】  処理対象画像の主走査ライン上に有彩色画素が所定数連続しているか判定することにより、有彩色画素群を検出する第一の判定工程と、
前記有彩色画素群が前記主走査ライン上に所定数検出されることに応じて、前記主走査ライン上の有彩色の存在を判定する第二の判定工程と、
前記有彩色画素群の副走査方向の連続性を判定することで、前記副走査方向の有彩色の存在を判定する第三の判定工程と、
前記第一の判定工程、前記第二の判定工程および前記第三の判定工程による判定結果に基づいて、前記処理対象画像がカラー画像であるか判定する第四の判定工程とを有し、
前記第一判定工程における連続性の判定のためのパラメータと、前記第三の判定工程における連続性の判定のためのパラメータは独立に設定されることを特徴とする画像処理方法。
【請求項６】  前記第一の判定工程、前記第二の判定工程および前記第三の判定工程により判定がなされる前記処理対象画像の領域は、前記処理対象画像の画先、終端領域を少なくとも除いた領域であることを特徴とする請求項５記載の画像処理方法。
【請求項７】  前記第四の判定工程によりカラー画像であると判定された場合、前記処理対象画像に対してカラー画像用の画像処理を施す画像処理工程をさらに有することを特徴とする請求項５または請求項６記載の画像処理方法。
【請求項８】  処理対象画像の主走査ライン上に有彩色画素が所定数連続しているか判定することにより、有彩色画素群を検出する第一の判定工程と、
前記有彩色画素群が前記主走査ライン上に所定数検出されることに応じて、前記主走査ライン上の有彩色の存在を判定する第二の判定工程と、
前記有彩色画素群の副走査方向の連続性を判定することで、前記副走査方向の有彩色の存在を判定する第三の判定工程と、
前記第一の判定工程、前記第二の判定工程および前記第三の判定工程による判定結果に基づいて、前記処理対象画像がカラー画像であるか判定する第四の判定工程とを有し、
前記第一判定工程と第二の判定工程からなる主走査方向における判定と、前記第三の判定工程からなる副走査方向の判定を、同一の処理によって行うことを特徴とする画像処理方法。
【請求項９】  コンピュータに、請求項５乃至請求項８のいずれか１項に記載の画層処理方法の各工程を実行させるためのプログラムを格納したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像処理装置及び画像処理方法に関し、詳しくは入力画像がカラー画像なのかモノクロ画像かを識別するための画像処理装置及び画像処理方法に関する。
【手続補正４】
【補正対象書類名】明細書
【補正対象項目名】０００９
【補正方法】変更
【補正の内容】
【０００９】
本発明は、このような従来技術の問題点に鑑みなされたものであり、その目的は、精度良く入力画像がカラー画像であるか、モノクロ画像であるかを識別することが可能な画像処理装置及び画像処理方法を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
【課題を解決するための手段】
すなわち、本発明の要旨は、処理対象画像の主走査ライン上に有彩色画素が所定数連続しているか判定することにより、有彩色画素群を検出する第一の判定手段と、有彩色画素群が主走査ライン上に所定数検出されることに応じて、主走査ライン上の有彩色の存在を判定する第二の判定手段と、有彩色画素群の副走査方向の連続性を判定することで、副走査方向の有彩色の存在を判定する第三の判定手段と、第一の判定手段、第二の判定手段および第三の判定手段による判定結果に基づいて、処理対象画像がカラー画像であるか判定する第四の判定手段とを有し、第一判定手段の連続性の判定のためのパラメータと、第三の判定手段の連続性の判定のためのパラメータは独立に設定されることを特徴とする画像処理装置に存する。
【手続補正７】
【補正対象書類名】明細書
【補正対象項目名】００１２
【補正方法】変更
【補正の内容】
【００１２】
また、本発明の別の要旨は、処理対象画像の主走査ライン上に有彩色画素が所定数連続しているか判定することにより、有彩色画素群を検出する第一の判定手段と、有彩色画素群が主走査ライン上に所定数検出されることに応じて、主走査ライン上の有彩色の存在を判定する第二の判定手段と、有彩色画素群の副走査方向の連続性を判定することで、副走査方向の有彩色の存在を判定する第三の判定手段と、第一の判定手段、第二の判定手段および第三の判定手段による判定結果に基づいて、処理対象画像がカラー画像であるか判定する第四の判定手段とを有し、第一判定手段と第二の判定手段からなる主走査方向用の判定部と、第三の判定手段からなる副走査方向用の判定部は、同一の処理を行う構成であることを特徴とする画像処理装置に存する。
【手続補正８】
【補正対象書類名】明細書
【補正対象項目名】００１３
【補正方法】変更
【補正の内容】
【００１３】
また、本発明の別の要旨は、処理対象画像の主走査ライン上に有彩色画素が所定数連続しているか判定することにより、有彩色画素群を検出する第一の判定工程と、有彩色画素群が主走査ライン上に所定数検出されることに応じて、主走査ライン上の有彩色の存在を判定する第二の判定工程と、有彩色画素群の副走査方向の連続性を判定することで、副走査方向の有彩色の存在を判定する第三の判定工程と、第一の判定工程、第二の判定工程および第三の判定工程による判定結果に基づいて、処理対象画像がカラー画像であるか判定する第四の判定工程とを有し、第一判定工程における連続性の判定のためのパラメータと、第三の判定工程における連続性の判定のためのパラメータは独立に設定されることを特徴とする画像処理方法に存する。
また、本発明の別の要旨は、処理対象画像の主走査ライン上に有彩色画素が所定数連続しているか判定することにより、有彩色画素群を検出する第一の判定工程と、有彩色画素群が主走査ライン上に所定数検出されることに応じて、主走査ライン上の有彩色の存在を判定する第二の判定工程と、有彩色画素群の副走査方向の連続性を判定することで、副走査方向の有彩色の存在を判定する第三の判定工程と、第一の判定工程、第二の判定工程および第三の判定工程による判定結果に基づいて、処理対象画像がカラー画像であるか判定する第四の判定工程とを有し、第一判定工程と第二の判定工程からなる主走査方向における判定と、第三の判定工程からなる副走査方向の判定を、同一の処理によって行うことを特徴とする画像処理方法に存する。